(57)【要約】【課題】本発明は、内筒の初期回転作動を迅速かつ、確実に行なわしめることが出来るのみならず、外気の温度に左右されることなく常に一定速度でもって内筒を安定的に回転作動せしめ、走馬絵を外筒に投影せしめることが出来、しかも、必要に応じて低発熱蛍光灯などの低発熱性照明灯を用いて省エネルギ−・高寿命化を図ることが出来る、走馬灯を提供するものである。【解決手段】中空基台１上に所要の照明灯２と、該照明灯２を囲繞する回転自在な走馬絵付き透光性内筒３と、該内筒３を囲繞する透光性外筒８とが同心状に順次配設され、上記内筒３の上端部には排気口６と羽根体７を備えた天板５が取付けられると共に、基台１内には送風孔１０より内筒３内に送風して羽根体７に当てつつ内筒３を回転作動せしめるファン１４が内設されている。【選択図】図２
2007335335.tif 000002
【特許請求の範囲】
【請求項１】
中空基台上に所要の照明灯と、該照明灯を囲繞する回転自在な走馬絵付き透光性内筒と
、該内筒を囲繞する透光性外筒とが同心状に順次配設され、上記内筒の上端部には排気口と羽根体を備えた天板が取付けられると共に、基台内には送風孔より内筒内に送風して羽根体に当てつつ内筒を回転作動せしめるファンが内設されてなることを特徴とする、走馬灯。
【請求項２】
基台にはその内部に内筒と外筒との間の空気をファンにより吸気せしめるべく所要の吸気孔が形成されてなることを特徴とする、請求項１記載の走馬灯。
【請求項３】
請求項２記載の走馬灯において、外筒にはその上端部を閉塞せしめるべく閉塞板が取付けられてなることを特徴とする、走馬灯。
【発明の詳細な説明】
【技術分野】
【０００１】
本発明は、主として広告灯やサイン灯、あるいは照明灯として好適に使用する走馬灯に関する。
【背景技術】
【０００２】
従来より、この種の走馬灯としては、所要の基台上に電球・ガス灯・ア−ク灯などの照明灯と、該照明灯を囲繞する回転自在な走馬絵付き透光性内筒と、該内筒を囲繞する透光性外筒とが同心状に順次配設され、上記内筒の上端部には排気口と羽根体を備えた天板が取付けられた基本構成よりなるものが知られている（実開昭６２−１６４３１２号公報、実開平２−３７７００号公報、実開平４−２５１０５号公報参照）。    
そして、上述の如き基本構成を有する従来の走馬灯は、電灯などの照明灯を点灯せしめて内筒内に光と熱を発生せしめ、発生した熱により内筒内に上昇気流を生起せしめると共に、上昇気流を順次羽根体に当てて排気せしめることにより内筒を回転作動せしめ、走馬絵を外筒に回転投影せしめるものである。
【特許文献１】実開昭６２−１６４３１２号公報
【特許文献２】実開平２−３７７００号公報
【特許文献１】実開平４−２５１０５号公報
【発明の開示】
【発明が解決しようとする課題】
【０００３】
ところで、上記従来の走馬灯は、電球・ガス灯・ア−ク灯などの照明灯の発熱を利用して内筒を回転せしめるものであるから、発熱により内筒内に上昇気流を生起せしめるまでに時間がかかり、ひいては、内筒の初期回転作動が遅くなるのみならず、内筒を回転作動せしめるさいにおいても回転速度が外気の温度に左右されるものであって、常に一定速度で安定的に回転作動せしめずらいものである。また、電球・ガス灯・ア−ク灯などの照明灯は高発熱性を有するものであるから、省エネルギ−や寿命などの点において問題があるものである。このため、近時の低発熱電球や低発熱蛍光灯等の低発熱性照明灯を使用することが考えられるが、これらの低発熱性照明灯はその発熱量が低いために内筒内に適正な上昇気流を生起せしめることが出来ず、到底採択使用することが出来ないものである。
【０００４】
本発明は、従来の問題点を解決し、内筒の初期回転作動を迅速かつ、確実に行なわしめることが出来るのみならず、外気の温度に左右されることなく常に一定速度でもって内筒を安定的に回転作動せしめ、走馬絵を外筒に投影せしめることが出来、しかも、必要に応じて低発熱蛍光灯などの低発熱性照明灯を用いて省エネルギ−・高寿命化を図ることが出来る、走馬灯を提供しようとするものである。
【課題を解決するための手段】
【０００５】
上記の目的を達成するため、本発明の請求項１記載の発明は、中空基台上に所要の照明灯と、該照明灯を囲繞する回転自在な走馬絵付き透光性内筒と、該内筒を囲繞する透光性外筒とが同心状に順次配設され、上記内筒の上端部には排気口と羽根体を備えた天板が取付けられると共に、基台内には送風孔より内筒内に送風して羽根体に当てつつ内筒を回転作動せしめるファンが内設されてなることを特徴とする、走馬灯を要旨とするものである
。
【０００６】
請求項２記載の発明は、基台にはその内部に内筒と外筒との間の空気をファンにより吸気せしめるべく所要の吸気孔が形成されてなることを特徴とする、請求項１記載の走馬灯を要旨とするものである。
【０００７】
請求項３記載の発明は、請求項２記載の走馬灯において、外筒にはその上端部を閉塞せしめるべく閉塞板が取付けられてなることを特徴とする、走馬灯を要旨とするものである
。
【発明の効果】
【０００８】
請求項１記載の発明は上述のように構成されているから、照明灯を点灯せしめると共に
、ファンを回転作動せしめて送風孔より内筒内に送風し、順次羽根体に当てて排気せしめつつ内筒を回転作動せしめ、走馬絵を外筒に回転投影せしめることが出来るものであって
、ひいては、照明灯の発熱作用により上昇気流を生起せしめつつ内筒を回転作動せしめる従来例に比して、内筒の初期回転作動を迅速、かつ、確実に行なわしめることが出来るのみならず、外気の温度に左右されることなく常に一定の速度でもって内筒を安定的に回転作動せしめ、走馬絵を外筒に回転投影せしめることができ、しかも、必要に応じて低発熱性蛍光灯などの低発熱性照明灯を使用して省エネルギ−のみならず照明灯の寿命を著しくアップせしめることが出来るものである。
【０００９】
請求項２記載の発明は上述のように構成されているから、吸気孔より内筒と外筒との間
の空気を基台内に吸気してファンの回転作動をスム−ズに行なわしめることが出来る。
【００１０】
請求項３記載の発明は上述のように構成されているから、ファンの送風作動により基台内と内筒内と内外筒間との間に気流を循環せしめることが出来るものであって、ひいては
、照明灯の発熱によって生起する熱気流を外部に逃がすことなく有効に利用せしめることができ、ファンの負荷を低減せしめることが出来るものである。
【発明を実施するための最良の形態】
【００１１】
以下に、本発明を実施するための最良の形態を図面に示す一実施例に基づいて詳細に説明する。
【００１２】
図１乃至図３は本発明の一実施例を示すもので、同図中、１は所要の幅と高さを備えた略楕円形状の中空基台、２は該基台１上の中心に点灯自在に立設された所要の高さを有する管形蛍光灯製照明灯、３は該照明灯２を囲繞すべく被嵌された所要の外径を有する透光性内筒で、該内筒３はその外表面に切絵など所要の走馬絵（図示略）が形成されると共に
、照明灯２の頂部にピポット軸受機構４を介して同心状に回転自在に支承されている。５は上記内筒３を構成する天板、６は該天板５に所定ピッチでもつて放射状に形成された排気口、７は該各排気口６の一側縁に沿って起立形成された羽根体、８は内筒３を囲繞すべく基台１の外周縁に両側一対の支柱９を介して立設された透光性外筒、１０は内筒３の内周下に位置すべく基台１の上壁に同心円状に形成された所要数の送風孔、１１は内筒３と外筒８との間に位置すべく基台１の上壁に同心円状に形成された所要数の吸気孔、１２は該吸気孔１１より吸気して内筒３内に送風せしめるべく基台１内に回転自在に配設されたファンである。
【００１３】
次に、上述の如く構成された実施例の作動について説明する。
先ず、照明灯２を点灯せしめると共に、ファン１２を回転作動せしめる。そして、ファン１２の回転作動により吸気孔１１より吸気しつつ送風孔１０を通して内筒３内に送風し
、順次羽根体７に当てて排気口６より排気せしめつつ内筒３を所定方向に回転作動せしめ
、内筒３の走馬絵を外筒８に回転投影せしめる。
このさい、内筒３はファン１２の送風作用により羽根体７を介して回転作動せしめるものであるから、従来例に比して、内筒３の初期回転作動を迅速、かつ、確実に行なわしめることが出来るのみならず、外気の温度に左右されることなく常に一定の速度でもって内筒３を安定的に回転作動せしめ、走馬絵を外筒８に回転投影せしめることが出来、しかも
、照明灯２は高発熱性のみならず低発熱性のものを有効に採択使用することが出来るものである。
【００１４】
図４は本発明の他の実施例を示すもので、外筒８の上端部を閉塞せしめるべく閉塞板１３が取付けられた点が上記実施例と相違し、他の部分は同一であり、同一符号は同一部分を示す。
【００１５】
そして、上述の如く構成された実施例は、前記実施例と同様に、照明灯２を点灯せしめると共に、ファン１２を回転作動せしめて吸気孔１１より吸気しつつ送風孔１０より内筒３内に送風せしめ、順次羽根体７に当てて排気口６より排気せしめつつ内筒３を所定方向に回転作動せしめ、内筒３の走馬絵を外筒８に回転投影せしめる。このさい、外筒８の上端部は閉塞板１３により閉塞せしめられているから、ファン１２の回転作動により送風孔１０・排気口６・吸気孔１１を通して基台１内と内筒３内と内外筒３・８間との間に気流を循環せしめることが出来るものであって、ひいては、照明灯２の発熱によって生起する熱気流を外部に逃がすことなく有効に利用せしめ、ファン１２の負荷を低減せしめることが出来るものである。
【００１６】
なお、上記実施例において、照明灯２は管形蛍光灯製とされているが、これに限定されるものではなく、電球、あるいはＬＥＤ使用のライトなど公知の照明灯を採択使用することができ、また、かかる照明灯も高発熱性のみならず低発熱性のものを適宜使用することが出来る。また、内筒３に形成せしめる走馬絵は、切絵のみならずこれに類した走馬絵、あるいは内筒３自体の外表面に所要の絵や模様等を刻設せしめてもよいものである。
【図面の簡単な説明】
【００１７】
【図１】本発明の一実施例を示す一部破砕斜視図である。
【図２】本発明の一実施例を示す一部破砕断面図である。
【図３】実施例の照明灯２にピポット軸受機構４を介して内筒３を回転自在に支承せしめた状態を示す一部拡大断面図である。
【図４】本発明の他の実施例を示す一部破砕断面図である。
【符号の説明】
【００１８】
１    基台
２    照明灯
３    内筒
５    天板
６    排気口
７    羽根体
８    外筒
１０  送風孔   
１１  吸気孔
１２  ファン
１３  閉塞板
【図１】
2007335335.tif 000003
【図２】
2007335335.tif 000004
【図３】
2007335335.tif 000005
【図４】
2007335335.tif 000006